(57)【要約】【課題】  積算電力計の取替作業を行うに際し、無停電で安全に且つ迅速に交換作業を行うことが可能な電力計無停電取替装置の提供。【解決手段】  電力計１００の負荷側及び供給側の電線取付部１０２Ａ，１０２Ｂに接続された端子台１２と、電力計１００の負荷側及び供給側を短絡する電気導通部材が内蔵されているとともに、電力計１００との間に介在された端子台１２の負荷側及び供給側に設けられた工具接続用接点部２８Ａ，２８Ｂ・・に対して着脱自在な接続用端子を備えた電気絶縁材料のケーシングからなるバイパス工具１４と、ケーシングに取付けられ、接続用端子を、端子台１２の工具接続用接点部２８Ａ，２８Ｂ・・に対して導通させて電力計１００の負荷側及び供給側をバイパス工具１４によって短絡状態とする。【選択図】        図１
2011095134.tif 000002
【特許請求の範囲】
【請求項１】
屋外に設置されている電力供給用の電線並びに電力需要先との間に介在され、電力需要先の電力使用量を算出する電力計を、取り付け又は取り外す際に使用する電力計無停電取替装置であって、
電気絶縁材料で形成されているとともに、電力計における負荷側及び供給側の電線取付部に接続され、該電線取付部と導通可能な工具接続用接点部、並びに電線接続部を備えた端子台と、
電力計の負荷側及び供給側を短絡する電気導通部材が内蔵されているとともに、電力計との間に介在された前記端子台の負荷側及び供給側に設けられた工具接続用接点部に対して着脱自在な接続用端子を備えた電気絶縁材料のケーシングからなるバイパス工具と、
前記ケーシングに取付けられ、前記端子台又は電力計の近傍に設けられている係止部と係合する係合部材を有し、前記端子台の工具接続用接点部に対して前記ケーシング全体を移動させながら接続用端子を、該工具接続用接点部に対して導通させて電力計の前記負荷側及び供給側を前記バイパス工具による短絡状態とする一方、逆方向に操作することにより、該ケーシングを前記端子台の工具接続用接点部から離脱させて該バイパス工具による短絡状態を解除する着脱レバーとを具備したことを特徴とする電力計無停電取替装置。
【請求項２】
前記着脱レバーには、該着脱レバーを前記ケーシングに対して固定するロック機構が設けられていることを特徴とする請求項１に記載の電力計無停電取替装置。
【請求項３】
前記端子台の工具接続用接点部は弾性材料を用いて形成され、前記ケーシングの接続用端子を、該工具接続用接点部に圧着させるようにしたことを特徴とする請求項１又は２に記載の電力計無停電取替装置。
【請求項４】
前記ケーシングの接続用端子は棒状の導通部材によって形成されていることを特徴とする請求項１〜３のうち、いずれか１項に記載の電力計無停電取替装置。
【請求項５】
前記ケーシングには、前記接続用端子の電気導通部材と接続された電圧確認用端子が設けられていることを特徴とする請求項１〜４のうち、いずれか１項に記載の電力計無停電取替装置。
【発明の詳細な説明】
【技術分野】
【０００１】
本発明は電力計無停電取替装置に係わり、家庭や事業所において使用された電力量を積算する電力計の取替時に使用するバイパス装置に関する。
【背景技術】
【０００２】
住宅やオフィスビルなどの電力需要先において使用される電力使用量を検出し、積算して表示する電力計は、法律等の規定によって法定期間毎の交換が義務づけられている。一般に、電力計の取替作業は、屋外の電柱から引き込まれた電線を古い電力計から一旦取り外した後に行うが、電力計から電線を取り外すと電力需要先である屋内に電力が供給されないこととなるため、電力計の取替作業時には停電を余儀なくされるという欠点があった。一方で、停電はＩＴインフラの進展や暖冷房など、電力の使用範囲が拡大した現在の状況下では極力避けることが望まれる。そこで、特開平7-287032号公報（特許文献１）には、無停電の状態で電力計の取替作業を行うことが可能な無停電バイパス工具に関する発明が開示されている。
【０００３】
同公報記載の「電力計用の無停電取替バイパス工具」は、電力計の端子盤と、屋外配線との間に、端子盤本体を別途設けるとともに、この端子盤に挿嵌孔を設け、この挿嵌孔に、電源側と負荷側とを短絡するバイパス装置（バイパス用短絡カセット）の接続ピン（棒端子）を挿入することにより、電力計取り外し時の無停電状態を維持するようになっている。また、バイパス用短絡カセットの挿嵌を容易にするために、回動カムなどが同発明のバイパス工具には配設されている。
【０００４】
さらに、特開2006-226704号公報（特許文献２）には、「無停電計器取替工事方法」等に関する発明が開示されている。同公報記載の発明は、電線孔の間隔の異なる電力計に対応するために、バイパス工具の棒端子の間隔を、電力計側に合わせて変更しうるように構成されている。
【先行技術文献】
【特許文献】
【０００５】
【特許文献１】特開平7-287032号公報
【特許文献２】特開2006-226704号公報
【発明の開示】
【発明が解決しようとする課題】
【０００６】
しかしながら、前述した特許文献１記載の「電力計用の無停電取替バイパス工具」は、内部に回動カムや押し出しピンを内蔵させる必要があり、構造が複雑化し、製造コストの高騰を招くという課題があった。
また、特許文献２記載の「無停電計器取替工事方法」等は、バイパス工具の内部に、棒端子を移動させる機構が必要となり、やはり構造が複雑化するという課題を有している。
【０００７】
本発明は、このような諸事情に対処するために提案されたものであって、電力計を交換する作業に際し、無停電で、安全に且つ迅速に交換作業を行うことが可能な電力計無停電取替装置を提供することを目的とする。
また、構造がシンプル、且つ汎用性に優れた電力計無停電取替装置を提供することを目的とする。
【課題を解決するための手段】
【０００８】
上記目的を達成するために、請求項１記載の発明は、屋外に設置されている電力供給用の電線並びに電力需要先との間に介在され、電力需要先の電力使用量を算出する電力計を、取り付け又は取り外す際に使用する電力計無停電取替装置であって、電気絶縁材料で形成されているとともに、電力計における負荷側及び供給側の電線取付部に接続され、該電線取付部と導通可能な工具接続用接点部、並びに電線接続部を備えた端子台と、電力計の負荷側及び供給側を短絡する電気導通部材が内蔵されているとともに、電力計との間に介在された前記端子台の負荷側及び供給側に設けられた工具接続用接点部に対して着脱自在な接続用端子を備えた電気絶縁材料のケーシングからなるバイパス工具と、前記ケーシングに取付けられ、前記端子台又は電力計の近傍に設けられている係止部と係合する係合部材を有し、前記端子台の工具接続用接点部に対して前記ケーシング全体を移動させながら接続用端子を該工具接続用接点部に対して、導通させて電力計の前記負荷側及び供給側を前記バイパス工具による短絡状態とする一方、逆方向に操作することにより、該ケーシングを前記端子台の工具接続用接点部から離脱させて該バイパス工具による短絡状態を解除する着脱レバーとを具備したことを特徴とする。
【０００９】
請求項２記載の発明は、請求項１において、前記着脱レバーには、該着脱レバーを前記ケーシングに対して固定するロック機構が設けられていることを特徴とする。
【００１０】
請求項３記載の発明は、請求項１又は２において、前記端子台の工具接続用接点部は弾性材料を用いて形成され、前記ケーシングの接続用端子を、該工具接続用接点部に圧着させるようにしたことを特徴とする。
【００１１】
請求項４記載の発明は、請求項１〜３のうち何れか１項において、前記ケーシングの接続用端子は棒状の導通部材によって形成されていることを特徴とする。
【００１２】
請求項５記載の発明は、請求項１〜４のうち何れか１項において、前記ケーシングには、前記接続用端子の電気導通部材と接続された電圧確認用端子が設けられていることを特徴とする。
【発明の効果】
【００１３】
上述の本発明によれば、予め電力計に設置してある端子台と、供給側及び負荷側を短絡させるバイパス工具とによって電力計の取替作業を無停電状態で行うようにしているので、安全且つ迅速な交換作業が可能となる。また、電力計から電線を取り外すことなく、交換作業を行うことができる。
【図面の簡単な説明】
【００１４】
【図１】本発明の一実施形態に係る電力計無停電取替装置と電力計との関係を示す分解斜視図である。
【図２】同じく、本発明の一実施形態に係る電力計無停電取替装置の要部である端子台を示した図である。
【図３】同じく、本発明の一実施形態に係る電力計無停電取替装置の要部である端子台に電線が接続された状態を示す概略図である。
【図４】同じく、本発明の一実施形態に係る電力計無停電取替装置の要部である端子台の主要構成部材である接続部材を示した図である。
【図５】同じく、本発明の一実施形態に係る電力計無停電取替装置の要部である端子台の主要構成部材である接続部材のうち、工具用接点部として使用されているソケットを示した図である。
【図６】同じく、本発明の一実施形態に係る電力計無停電取替装置の要部であるバイパス工具の平面図である。
【図７】同じく、本発明の一実施形態に係る電力計無停電取替装置の要部である端子台とバイパス工具との関係を示す概略斜視図である。
【図８】同じく、本発明の一実施形態に係る電力計無停電取替装置の要部であるバイパス工具の平面図である。
【図９】同じく、本発明の一実施形態に係る電力計無停電取替装置の要部であるバイパス工具を正面側及び背面側から視た図である。
【図１０】同じく、本発明の一実施形態に係る電力計無停電取替装置の要部であるバイパス工具を側面側から視た図である。
【図１１】屋外などに設置されている積算電力計を示した図である。
【図１２】本発明の一実施形態に係る電力計無停電取替装置の要部である端子台に対しバイパス工具を取り付ける際におけるロックレバーの作用を示す説明図である。
【図１３】同じく、本発明の一実施形態に係る電力計無停電取替装置の要部であるバイパス工具が端子台に対して接続された状態を示す概略斜視図である。
【図１４】本発明の他の実施形態に係る電力計無停電取替装置の要部であるバイパス工具の平面図である。
【図１５】同じく、本発明の他の実施形態に係る電力計無停電取替装置の要部である端子台とバイパス工具との関係を示す概略斜視図である。
【発明を実施するための最良の形態】
【００１５】
以下、本発明に係る電力計無停電取替装置の好適な実施形態について添付図面を参照して説明する。
図１は本発明の一実施形態に係る電力計無停電取替装置と電力計との関係を示す分解斜視図、図２は本実施形態に係る電力計無停電取替装置の要部である端子台を示した図、図３は電線が接続された状態を示す概略図である。
図１に示されるように、本実施形態の電力計無停電取替装置１０は端子台１２と、バイパス工具１４とから構成されている。このうち、端子台１２は、図２に示されるように、樹脂製などの絶縁材によって形成された取付枠部１６を有し、この取付枠部１６に、合計６本の接続用端子２２Ａ，２２Ｂ，２４Ａ，２４Ｂ，２６Ａ，２６Ｂが取り付けられている。
【００１６】
図１及び図３に示されるように、端子台１２の接続用端子のうち、２２Ａ，２４Ａ，２６Ａは積算電力計１００の供給側の電線取付部１０２Ａに挿入されることによって電気的に接続されるともに、２２Ｂ，２４Ｂ，２６Ｂは負荷側の電線取付部１０２Ｂに挿入されて接続されている。要するに、既存の電力計メーカによって製造されている積算電力計１００には、孔状の電線取付部１０２Ａ，１０２Ｂが下向きに開口した状態で設けられ、これらの電線取付部１０２Ａ，１０２Ｂには従来、供給側（一次側）及び負荷側（二次側）の電線１０３，１０５の被覆部分を取り除いた銅線が接続されていた。
【００１７】
一方、本実施形態では各電線取付部１０２Ａ，１０２Ｂに、端子台１２の接続用端子２２Ａ，２２Ｂ，２４Ａ，２４Ｂ，２６Ａ，２６Ｂを挿入して接続している。電線取付部１０２Ａ，１０２Ｂには固定用のネジ１０４が、水平な方向に２本ずつ設けられており、接続用端子２２Ａ，２２Ｂ，２４Ａ，２４Ｂ，２６Ａ，２６Ｂを横方向から固定するようになっている。なお、各メーカの積算電力計１００における電線取付部１０２Ａ，１０２Ｂの間隔（ピッチ）が、異なる場合を考慮し、端子台１２の接続用端子２２Ａ，２２Ｂ，２４Ａ，２４Ｂ，２６Ａ，２６Ｂは、平均値をとって各メーカの電力計に対応するようにしても良いし、メーカ毎に合わせて間隔を設定しても良い。
なお、本実施形態の取替装置による交換の適応対象となる積算電力計の種類としては、単相二線式、単相三線式、三相三線式などである。
【００１８】
図４は端子台１２に取り付けられる接続部材４０を示した図である。同図に示されるように、端子台１２おける計６個の接続部材４０は、前述した接続用端子２２Ａ（図４では２２Ａのみを図示）と、その下部に取り付けられる工具接続用接点部２８Ａと、電線接続部３４Ａとが一体化された金属製の部材である。電線接続部３４Ａ，３４Ｂ，３６Ａ，３６Ｂ，３８Ａ，３８Ｂには、電線の一部の被覆部が剥がされた銅線が挿入され、２カ所をネジ止めすることによって、供給側及び負荷側の電線が接続される。
【００１９】
図５は工具用接点部２８Ａ〜３２Ｂとして使用されているソケット４２を示した図である。同図に示されるように、ソケット４２は円筒状の差し込み部４２Ａと、取り付けネジ部４２Ｂとを具備し、差し込み部４２Ａには、後述するバイパス工具の接続用棒端子（接続端子）が挿入されて電気的に導通可能になっている。差し込み部４２Ａには奥行き方向にスリット４４が設けられており、接続用棒端子を挿入することによって差し込み部４２Ａの内径を拡げるように作用し、その結果、接続用棒端子をソケット４２に対して圧着することができるようになっている。これにより、接触不良によるアークの発生などを防止することができる。また、ソケット４２の取り付けネジ部４２Ｂは、接続部材４０の図示しない雌ネジ部に螺合して取り付けられて、接続部材４０とソケット４２とは一体化されている。
【００２０】
図６及び図８は本実施形態に係る電力計無停電取替装置の要部であるバイパス工具１４の平面図、図７は端子台１２とバイパス工具１４との関係を示す概略斜視図である。
図６に示されるように、バイパス工具１４は、ケーシング５０、計６本の接続用棒端子５２Ａ，５２Ｂ，５４Ａ，５４Ｂ，５６Ａ，５６Ｂ、左右一対の着脱レバー５８，５８、ロック機構としてロックレバー６０，６０等を具備している。ケーシング５０は樹脂などの電気絶縁材によって形成され、その前部側に棒状の接続用棒端子５２Ａ，５２Ｂ・・が合計６本、突出して設けられ、接続用棒端子５２Ａ及び５２Ｂ，５４Ａ及び５４Ｂ，５６Ａ及び５６Ｂはケーシング５０の内部にて、それぞれ電機導通部材５２，５４，５６によって電気的に導通している。
【００２１】
図７に示されるように、バイパス工具１４における接続用棒端子５２Ａ及び５２Ｂ，５４Ａ及び５４Ｂ，５６Ａ及び５６Ｂは、端子台１２の工具接続用接点部２８Ａ，２８Ｂ，３０Ａ，３０Ｂ，３２Ａ，３２Ｂに挿入されることによって、電力計の負荷側及び供給側を短絡する。ケーシング５０の前方角部には、着脱レバー５８の支点となる張出部分６２，６２が設けられており、図８に示されるように、着脱レバー５８を折り畳んだ際にレバーそのものがケーシング５０の側面に密着するようになっている。
【００２２】
また、図７に示されるように、着脱レバー５８には端子台１２に、係止部として設けられている係止用ダボ１２Ａ，１２Ａと係合するアーム５８Ａ，５８Ａが取り付けられており、係止用ダボ１２Ａにアーム５８Ａを係合させながら、両側の着脱レバー５８，５８を矢印Ａ方向に回動させることによって端子台１２に対し、ケーシング５０全体を移動させることができるようになっている。このとき、バイパス工具１４の接続用棒端子５２Ａ及び５２Ｂ，５４Ａ及び５４Ｂ，５６Ａ及び５６Ｂは、端子台１２の工具接続用接点部２８Ａ，２８Ｂ，３０Ａ，３０Ｂ，３２Ａ，３２Ｂに挿入される。
【００２３】
図９、図１０はバイパス工具１４を正面側及び背面側、側面側から視た図である。これらの図にも示されるように、着脱レバー５８，５８には、ロックレバー６０，６０がバネ６４を介して矢印Ｂ方向に回転するように付勢されている。ロックレバー６０の先端は鉤状に形成され、着脱レバー５８を折り畳んだ状態で、ケーシング５０の後方角部６６，６６に設けられた固定ピン６８，６８に係合するようになっている。
【００２４】
バイパス工具１４を利用して積算電力計１００を交換する場合は以下のように行う。
図１１は屋外などに設置されている積算電力計１００を示した図、図１２は端子台１２に対しバイパス工具１４を取り付ける際におけるロックレバー６０の作用を示す説明図、図１３はバイパス工具１４が端子台１２に対して接続された状態を示す概略斜視図である。
まず、図１１に示されるように、設置されている積算電力計１００を取り替える場合に、電力計１００を覆っている保護カバー１０６を取外し、図３に示されるように、電力計１００、端子台１２等を外部へ露出させた状態とする。
【００２５】
そして、屋外から端子台１２に接続されている供給側の電線１０３と、屋内へ引き込まれている負荷側の電線１０５とを、バイパス工具１４によって短絡させた後に、積算電力計１００の取替作業を行う。つまり、短絡状態とするにはバイパス工具１４の接続用棒端子５２Ａ及び５２Ｂ，５４Ａ及び５４Ｂ，５６Ａ及び５６Ｂを、端子台１２の工具接続用接点部２８Ａ，２８Ｂ，３０Ａ，３０Ｂ，３２Ａ，３２Ｂに挿入する。挿入時は、図１２（Ａ）に示されるように、バイパス工具１４のアーム５８Ａ，５８Ａの先端を端子台の係止用ダボ１２Ａ，１２Ａと係合させながら、着脱レバー５８，５８を矢印Ｄ方向に回動させることによって端子台１２に対し、ケーシング５０全体を矢印Ｃ方向へ徐々に移動させることにより、接続用棒端子５２Ａ・・を挿入し接続する。
【００２６】
この挿入作業の際、図１２（Ｂ）に示されるように、ロックレバー６０の先端の鉤状部は、固定ピン６８によって、バネ６４の付勢力に抗して下方へ導かれて二点鎖線の状態へと移動し、ケーシング５０が端子台１２に近づくに従い、最終的に固定ピン６８と係合し、着脱レバー５８を実線に示すロック状態とする。これによって、接続用棒端子５２Ａ・・は、工具接続用接点部２８Ａ・・に確実に挿入され、供給側の電線１０３と、負荷側の電線１０５とが短絡される。この短絡状態の時は、電力計１００を端子台１２から取り外しても、屋内への電力供給が途絶えることがなく、無停電での電力計の取替作業を行うことができる。
【００２７】
バイパス工具１４を接続した短絡状態では、着脱レバー５８が不用意に移動することをロックレバー６０によって防止することができるので、安全・確実、且つ迅速に電力計の取替作業を行うことができる。また、工具接続用接点部２８Ａ・・は、弾性を有するソケット４２によって構成されているので、接続用棒端子５２Ａ・・に対し確実に圧着するため、接触不良によるアーク（火花）の発生を防止しうるとともに、前述したロックレバー６０とも相まって接続用棒端子５２Ａ・・が不用意に抜けるといった事態を防止することができる。
【００２８】
一方、電力計の取替作業終了後、バイパス工具１４を取り外す場合は、ロックレバー６０，６０によるロックを解除し、端子台１２の両側の前面部１２Ｂ，１２Ｂに、バイパス工具１４のアーム５８Ａ，５８Ａの先端を当接させながら、取付時とは逆方向に着脱レバー５８，５８を回動させて、接続用棒端子５２Ａ・・を工具接続用接点部２８Ａ・・から抜き取ることによって行う。それによって、短絡状態が解除され、新たに設置された電力計１００を介して屋内へ電力が供給されるようになる。そして、取替後は新たに設置された電力計に対し、保護カバー１０６を取付けて作業は終了する。
【００２９】
図１４は本発明の他の実施形態に係る電力計無停電取替装置の要部であるバイパス工具の平面図、図１５は本実施形態の要部である端子台とバイパス工具との関係を示す概略斜視図である。以降の説明では前述の実施形態と同一の部材については同一の符号を付し、その詳細な説明を省略する。
【００３０】
図１４及び図１５に示されるバイパス工具１５には電圧確認用端子７０、７２，７４を具備している点が、前述した実施形態と相違する。バイパス工具１５のケーシング５０の後部側には、電圧確認用端子７０、７２，７４が取り付けられ、それぞれの電圧確認用端子７０、７２，７４は、電気導通部材５２，５４，５６とリード線８２，８４，８６を介し接続されている。電圧確認用端子７６，７８，８０には、ケーシング５０に穿設されている挿嵌孔８８，９０，９２からテスタの電極を挿入することができるようになっている。
【００３１】
即ち、積算電力計を交換するに先立って、バイパス工具１５を端子台１２に接続した後、テスタの２本の電極を電圧確認用端子７０、７２，７４のうち、７０及び７２、７０及び７４、７２及び７４と、３つの電圧確認用端子７０、７２，７４間で、電圧を確認することによって電力計の供給側及び負荷側における短絡状態を、電力計の交換前に確認することが可能である。これによって、例えば接続用棒端子５２Ａ，５２Ｂ，５４Ａ，５４Ｂ，５６Ａ，５６Ｂと、工具接続用接点部２８Ａ，２８Ｂ，３０Ａ，３０Ｂ，３２Ａ，３２Ｂとの間で接触不良を生じている場合など、何らかの不測の事態により短絡状態となっていないことを電力計の交換前に把握することができるので、電力供給先の停電をより確実に防止することが可能である。また、電圧確認用端子７６，７８，８０は、ケーシング５０後部側における奥まった部分の凹状部分に形成された挿嵌孔８８，９０，９２の内側に取り付けられているので、電圧確認用端子７６，７８，８０に対する他の工具などとの接触を防止しうるようになっている。
【００３２】
以上説明したように、本実施形態の電力計無停電取替装置によれば、積算電力計の取替作業を、電力計から電線を取り外すことなく行うことができるとともに、電力需要先に対し無停電状態を維持したままでの取替作業が可能となる。
【産業上の利用可能性】
【００３３】
以上説明したように、本発明によれば、無停電で安全且つ迅速に、積算電力計の取替作業を行うことが可能となる。
【符号の説明】
【００３４】
１０  電力計無停電取替装置
１２  端子台
１２Ａ  係止用ダボ
１２Ｂ  前面部
１４  １５  バイパス工具
１６  取付枠部
２２Ａ，２２Ｂ，２４Ａ，２４Ｂ，２６Ａ，２６Ｂ  接続用端子
２８Ａ，２８Ｂ，３０Ａ，３０Ｂ，３２Ａ，３２Ｂ  工具接続用接点部  
３４Ａ，３４Ｂ，３６Ａ，３６Ｂ，３８Ａ，３８Ｂ  電線接続部
４０  接続部材
４２  ソケット
４２Ａ  差し込み部
４２Ｂ  取り付けネジ部
４４  スリット
５０  ケーシング
５２  ５４  ５６  電気導通部材
５２Ａ，５２Ｂ，５４Ａ，５４Ｂ，５６Ａ，５６Ｂ  接続用棒端子
５８  着脱レバー
５８Ａ  アーム
６０  ロックレバー
６２  張出部分
６４  バネ
６６  固定ピン
６８  固定ピン
７０、７２，７４  電圧確認用端子
８２，８４，８６  リード線
８８，９０，９２  挿嵌孔
１００  積算電力計
１０２Ａ  １０２Ｂ  電線取付部
１０３  １０５  電線
１０４  ネジ
１０６  保護カバー
【図１】
2011095134.tif 000003
【図２】
2011095134.tif 000004
【図３】
2011095134.tif 000005
【図４】
2011095134.tif 000006
【図５】
2011095134.tif 000007
【図６】
2011095134.tif 000008
【図７】
2011095134.tif 000009
【図８】
2011095134.tif 000010
【図９】
2011095134.tif 000011
【図１０】
2011095134.tif 000012
【図１１】
2011095134.tif 000013
【図１２】
2011095134.tif 000014
【図１３】
2011095134.tif 000015
【図１４】
2011095134.tif 000016
【図１５】
2011095134.tif 000017
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
屋外に設置されている電力供給用の電線並びに電力需要先との間に介在され、電力需要先の電力使用量を算出する電力計を、取り付け又は取り外す際に使用するバイパス工具を具備し、
電気絶縁材料で形成されているとともに、電力計における負荷側及び供給側の電線取付部と接続される棒状の接続用端子、バイパス工具接続用の工具接続用接点部としてのソケット、並びに電線が接続される電線接続部を有する端子台を、電力計との間に介在させた状態で設け、
バイパス工具は、電力計の負荷側及び供給側を短絡する電気導通部材を内蔵しているとともに、前記端子台の工具接続用接点部としてのソケットに対し、着脱自在な接続用端子として接続用棒端子を備え、
バイパス工具のケーシングを端子台側の方向に移動させることにより、前記接続用棒端子を、前記工具接続用接点部としてのソケットに接続して、電力計の前記負荷側及び供給側を短絡させるとともに、該ケーシングを端子台側と逆方向に移動させることにより、該ケーシングの接続用棒端子を、前記端子台の工具接続用接点部としてのソケットから抜き取って該バイパス工具による電力計の短絡状態を解除するように構成され、
バイパス工具のケーシングを端子台側の方向、端子台側と逆方向に移動させる一対の着脱レバーを該ケーシングの前方角部（正面側角部）を支点として回動可能に設置するとともに、該着脱レバーには前記端子台に設けられた係止部と係合するアームが取り付けられており、
前記端子台の係止部にアームを係合させながら、該着脱レバーをケーシングの側面側に回動させることによって、ケーシング全体を端子台側の方向に移動させて接続用棒端子を、前記工具接続用接点部としてのソケットに挿入して接続し、電力計の前記負荷側及び供給側を短絡させるとともに、
前記アームの先端を、端子台の両側の前面部に当接させながら、前記着脱レバーをケーシングの側面から離脱する方向に回動させることによって、該ケーシングの接続用棒端子を、該端子台の工具接続用接点部としてのソケットから抜き取って、前記バイパス工具による短絡状態を解除することを特徴とする電力計無停電取替装置。
【請求項２】
前記端子台の棒状の接続用端子の間隔は、設置が想定される各種の電力計における負荷側及び供給側の電線取付部の間隔の平均値となるように設定されていることを特徴とする請求項１に記載の電力計無停電取替装置。
【請求項３】
前記バイパス工具のケーシングの前方角部に、前記着脱レバーの支点となる張出部分が設けられているとともに、該着脱レバーを該ケーシングに対して固定する先端が鉤状に形成されたロックレバーを有し、該ロックレバーは該ケーシングの後方角部（背面側角部）に設けられた固定ピンと係合するように構成され、該着脱レバーを該ケーシングの側面側に移動させたときに、該固定ピンに対し、ロックレバーの先端が係合することにより、前記ケーシングの側面と平行となるように該着脱レバーをロックすることを特徴とする請求項１又は２に記載の電力計無停電取替装置。
【手続補正２】
【補正対象書類名】明細書
【補正対象項目名】０００８
【補正方法】変更
【補正の内容】
【０００８】
上記目的を達成するために、請求項１記載の発明は、屋外に設置されている電力供給用の電線並びに電力需要先との間に介在され、電力需要先の電力使用量を算出する電力計（１００）を、取り付け又は取り外す際に使用するバイパス工具（１４）を具備し、電気絶縁材料で形成されているとともに、電力計（１００）における負荷側及び供給側の電線取付部（１０２Ａ，１０２Ｂ）と接続される棒状の接続用端子（２２Ａ，２２Ｂ，２４Ａ，２４Ｂ，２６Ａ，２６Ｂ）、バイパス工具（１４）接続用の工具接続用接点部としてのソケット、並びに電線が接続される電線接続部を有する端子台（１２）を、電力計（１００）との間に介在させた状態で設け、バイパス工具（１４）は、電力計（１００）の負荷側及び供給側を短絡する電気導通部材（５２，５４，５６）を内蔵しているとともに、前記端子台（１２）の工具接続用接点部（２８Ａ，２８Ｂ，３０Ａ，３０Ｂ，３２Ａ，３２Ｂ）としてのソケット（４２）に対し、着脱自在な接続用端子として接続用棒端子（５２Ａ，５２Ｂ，５４Ａ，５４Ｂ，５６Ａ，５６Ｂ）を備え、バイパス工具（１４）のケーシング（５０）を端子台（１２）側の方向に移動させることにより、前記接続用棒端子（５２Ａ，５２Ｂ，５４Ａ，５４Ｂ，５６Ａ，５６Ｂ）を、前記工具接続用接点部（２８Ａ，２８Ｂ，３０Ａ，３０Ｂ，３２Ａ，３２Ｂ）としてのソケット（４２）に接続して、電力計（１００）の前記負荷側及び供給側を短絡させるとともに、該ケーシング（５０）を端子台（１２）側と逆方向に移動させることにより、該ケーシング（５０）の接続用棒端子（５２Ａ，５２Ｂ，５４Ａ，５４Ｂ，５６Ａ，５６Ｂ）を、前記端子台（１２）の工具接続用接点部（２８Ａ，２８Ｂ，３０Ａ，３０Ｂ，３２Ａ，３２Ｂ）としてのソケット（４２）から抜き取って該バイパス工具（１４）による電力計（１００）の短絡状態を解除するように構成され、バイパス工具（１４）のケーシング（５０）を端子台（１２）側の方向、端子台（１２）側と逆方向に移動させる一対の着脱レバー（５８，５８）を該ケーシング（５０）の前方角部（正面側角部）を支点として回動可能に設置するとともに、該着脱レバー（５８，５８）には前記端子台（１２）に設けられた係止部（１２Ａ，１２Ａ）と係合するアーム（５８Ａ，５８Ａ）が取り付けられており、前記端子台（１２）の係止部（１２Ａ，１２Ａ）にアーム（５８Ａ，５８Ａ）を係合させながら、該着脱レバー（５８，５８）をケーシング（５０）の側面側に回動させることによって、ケーシング（５０）全体を端子台（１２）側の方向に移動させて接続用棒端子（５２Ａ，５２Ｂ，５４Ａ，５４Ｂ，５６Ａ，５６Ｂ）を、前記工具接続用接点部（２８Ａ，２８Ｂ，３０Ａ，３０Ｂ，３２Ａ，３２Ｂ）としてのソケット（４２）に挿入して接続し、電力計（１００）の前記負荷側及び供給側を短絡させるとともに、前記アーム（５８Ａ，５８Ａ）の先端を、端子台（１２）の両側の前面部（１２Ｂ，１２Ｂ）に当接させながら、前記着脱レバー（５８，５８）をケーシング（５０）の側面から離脱する方向に回動させることによって、該ケーシング（５０）の接続用棒端子（５２Ａ，５２Ｂ，５４Ａ，５４Ｂ，５６Ａ，５６Ｂ）を、該端子台（１２）の工具接続用接点部（２８Ａ，２８Ｂ，３０Ａ，３０Ｂ，３２Ａ，３２Ｂ）としてのソケット（４２）から抜き取って、前記バイパス工具（１４）による短絡状態を解除することを特徴とする。
【手続補正３】
【補正対象書類名】明細書
【補正対象項目名】０００９
【補正方法】変更
【補正の内容】
【０００９】
請求項２記載の発明は、請求項１において、前記端子台（１２）の棒状の接続用端子（２２Ａ，２２Ｂ，２４Ａ，２４Ｂ，２６Ａ，２６Ｂ）の間隔は、設置が想定される各種の電力計（１００）における負荷側及び供給側の電線取付部（１０２Ａ，１０２Ｂ）の間隔の平均値となるように設定されていることを特徴とする。
【手続補正４】
【補正対象書類名】明細書
【補正対象項目名】００１０
【補正方法】変更
【補正の内容】
【００１０】
請求項３記載の発明は、請求項１又は２において、前記バイパス工具（１４）のケーシング（５０）の前方角部に、前記着脱レバー（５８，５８）の支点となる張出部分（６２，６２）が設けられているとともに、該着脱レバー（５８，５８）を該ケーシング（５０）に対して固定する先端が鉤状に形成されたロックレバー（６０，６０）を有し、該ロックレバー（６０，６０）は該ケーシング（５０）の後方角部（６６，６６）に設けられた固定ピン（６８，６８）と係合するように構成され、該着脱レバー（５８，５８）を該ケーシング（５０）の側面側に移動させたときに、該固定ピン（６８，６８）に対し、ロックレバー（６０，６０）の先端が係合することにより、該着脱レバー（５８，５８）を前記ケーシング（５０）の側面と平行となるように該着脱レバー（５８，５８）をロックすることを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００３４
【補正方法】変更
【補正の内容】
【００３４】
１０  電力計無停電取替装置
１２  端子台
１２Ａ  係止用ダボ
１２Ｂ  前面部
１４  １５  バイパス工具
１６  取付枠部
２２Ａ，２２Ｂ，２４Ａ，２４Ｂ，２６Ａ，２６Ｂ  接続用端子
２８Ａ，２８Ｂ，３０Ａ，３０Ｂ，３２Ａ，３２Ｂ  工具接続用接点部  
３４Ａ，３４Ｂ，３６Ａ，３６Ｂ，３８Ａ，３８Ｂ  電線接続部
４０  接続部材
４２  ソケット
４２Ａ  差し込み部
４２Ｂ  取り付けネジ部
４４  スリット
５０  ケーシング
５２  ５４  ５６  電気導通部材
５２Ａ，５２Ｂ，５４Ａ，５４Ｂ，５６Ａ，５６Ｂ  接続用棒端子
５８  着脱レバー
５８Ａ  アーム
６０  ロックレバー
６２  張出部分
６４  バネ
６６  後方角部
６８  固定ピン
７０、７２，７４  電圧確認用端子
８２，８４，８６  リード線
８８，９０，９２  挿嵌孔
１００  積算電力計
１０２Ａ  １０２Ｂ  電線取付部
１０３  １０５  電線
１０４  ネジ
１０６  保護カバー
【手続補正書】
【提出日】平成22年4月10日(2010.4.10)
【手続補正１】
【補正対象書類名】特許請求の範囲
【補正対象項目名】全文
【補正方法】変更
【補正の内容】
【特許請求の範囲】
【請求項１】
屋外に設置されている電力供給用の電線並びに電力需要先との間に介在された、電力需要先の電力使用量を算出する電力計を、取り付け又は取り外す際に使用する電力計無停電取替装置であって、
電気絶縁材料で形成された取付枠部を有し、該取付枠部に、電力計における負荷側及び供給側の電線取付部と接続される棒状の接続用端子、該電線取付部と導通可能な工具接続用接点部としてのソケット、並びに電線が接続される電線接続部を備えた端子台と、
電力計の負荷側及び供給側を短絡する電気導通部材が、電気絶縁材料からなるケーシングに内蔵されているとともに、電力計との間に介在された前記端子台における工具接続用接点部としてのソケットに対し、着脱自在な接続用棒端子を備えたバイパス工具とを具備し、
前記バイパス工具のケーシングを端子台側の方向に移動させることにより、前記接続用棒端子を、前記工具接続用接点部としてのソケットに接続して、電力計の前記負荷側及び供給側を短絡させるとともに、該ケーシングを端子台側と逆方向に移動させることにより、該ケーシングの接続用棒端子を、前記端子台の工具接続用接点部としてのソケットから抜き取って該バイパス工具による電力計の短絡状態を解除するように構成され、
バイパス工具のケーシングを端子台側の方向、端子台側と逆方向に移動させる一対の着脱レバーを該ケーシングの前方角部（正面側角部）を支点として回動可能に設置するとともに、該着脱レバーには前記端子台に設けられた係止部と係合するアームが取り付けられており、
前記端子台の係止部にアームを係合させながら、該着脱レバーをケーシングの側面側に回動させることによって、ケーシング全体を端子台側の方向に移動させて接続用棒端子を、前記工具接続用接点部としてのソケットに挿入して接続し、電力計の前記負荷側及び供給側を短絡させるとともに、
前記アームの先端を、端子台の両側の前面部に当接させながら、前記着脱レバーをケーシングの側面から離脱する方向に回動させることによって、該ケーシングの接続用棒端子を、該端子台の工具接続用接点部としてのソケットから抜き取って、前記バイパス工具による短絡状態を解除することを特徴とする電力計無停電取替装置。
【請求項２】
前記端子台の棒状の接続用端子の間隔は、設置が想定される各種の電力計における負荷側及び供給側の電線取付部の間隔の平均値となるように設定されていることを特徴とする請求項１に記載の電力計無停電取替装置。
【請求項３】
前記バイパス工具のケーシングの前方角部に、前記着脱レバーの支点となる張出部分が設けられているとともに、該着脱レバーを該ケーシングに対して固定する先端が鉤状に形成されたロックレバーを有し、該ロックレバーは該ケーシングの後方角部（背面側角部）に設けられた固定ピンと係合するように構成され、該着脱レバーを該ケーシングの側面側に移動させたときに、該固定ピンに対し、ロックレバーの先端が係合することにより、前記ケーシングの側面と平行となるように該着脱レバーをロックすることを特徴とする請求項１又は２に記載の電力計無停電取替装置。
【手続補正２】
【補正対象書類名】明細書
【補正対象項目名】０００８
【補正方法】変更
【補正の内容】
【０００８】
上記目的を達成するために、請求項１記載の発明は、屋外に設置されている電力供給用の電線並びに電力需要先との間に介在された、電力需要先の電力使用量を算出する電力計（１００）を、取り付け又は取り外す際に使用する電力計無停電取替装置であって、電気絶縁材料で形成された取付枠部（１６）を有し、該取付枠部（１６）に、電力計（１００）における負荷側及び供給側の電線取付部（１０２Ａ，１０２Ｂ）と接続される棒状の接続用端子（２２Ａ，２２Ｂ，２４Ａ，２４Ｂ，２６Ａ，２６Ｂ）、該電線取付部（１０２Ａ，１０２Ｂ）と導通可能な工具接続用接点部（２８Ａ，２８Ｂ，３０Ａ，３０Ｂ，３２Ａ，３２Ｂ）としてのソケット（４２）、並びに電線が接続される電線接続部（３４Ａ，３４Ｂ，３６Ａ，３６Ｂ，３８Ａ，３８Ｂ）を備えた端子台（１２）と、電力計（１００）の負荷側及び供給側を短絡する電気導通部材（５２，５４，５６）が、電気絶縁材料からなるケーシング（５０）に内蔵されているとともに、電力計（１００）との間に介在された前記端子台（１２）における工具接続用接点部（２８Ａ，２８Ｂ，３０Ａ，３０Ｂ，３２Ａ，３２Ｂ）としてのソケット（４２）に対し、着脱自在な接続用棒端子（５２Ａ，５２Ｂ，５４Ａ，５４Ｂ，５６Ａ，５６Ｂ）を備えたバイパス工具（１４）とを具備し、前記バイパス工具（１４）のケーシング（５０）を端子台（１２）側の方向に移動させることにより、前記接続用棒端子（５２Ａ，５２Ｂ，５４Ａ，５４Ｂ，５６Ａ，５６Ｂ）を、前記工具接続用接点部（２８Ａ，２８Ｂ，３０Ａ，３０Ｂ，３２Ａ，３２Ｂ）としてのソケット（４２）に接続して、電力計（１００）の前記負荷側及び供給側を短絡させるとともに、該ケーシング（５０）を端子台（１２）側と逆方向に移動させることにより、該ケーシング（５０）の接続用棒端子（５２Ａ，５２Ｂ，５４Ａ，５４Ｂ，５６Ａ，５６Ｂ）を、前記端子台（１２）の工具接続用接点部（２８Ａ，２８Ｂ，３０Ａ，３０Ｂ，３２Ａ，３２Ｂ）としてのソケット（４２）から抜き取って該バイパス工具（１４）による電力計（１００）の短絡状態を解除するように構成され、バイパス工具（１４）のケーシング（５０）を端子台（１２）側の方向、端子台（１２）側と逆方向に移動させる一対の着脱レバー（５８，５８）を該ケーシング（５０）の前方角部（正面側角部）を支点として回動可能に設置するとともに、該着脱レバー（５８，５８）には前記端子台（１２）に設けられた係止部（１２Ａ，１２Ａ）と係合するアーム（５８Ａ，５８Ａ）が取り付けられており、前記端子台（１２）の係止部（１２Ａ，１２Ａ）にアーム（５８Ａ，５８Ａ）を係合させながら、該着脱レバー（５８，５８）をケーシング（５０）の側面側に回動させることによって、ケーシング（５０）全体を端子台（１２）側の方向に移動させて接続用棒端子（５２Ａ，５２Ｂ，５４Ａ，５４Ｂ，５６Ａ，５６Ｂ）を、前記工具接続用接点部（２８Ａ，２８Ｂ，３０Ａ，３０Ｂ，３２Ａ，３２Ｂ）としてのソケット（４２）に挿入して接続し、電力計（１００）の前記負荷側及び供給側を短絡させるとともに、前記アーム（５８Ａ，５８Ａ）の先端を、端子台（１２）の両側の前面部（１２Ｂ，１２Ｂ）に当接させながら、前記着脱レバー（５８，５８）をケーシング（５０）の側面から離脱する方向に回動させることによって、該ケーシング（５０）の接続用棒端子（５２Ａ，５２Ｂ，５４Ａ，５４Ｂ，５６Ａ，５６Ｂ）を、該端子台（１２）の工具接続用接点部（２８Ａ，２８Ｂ，３０Ａ，３０Ｂ，３２Ａ，３２Ｂ）としてのソケット（４２）から抜き取って、前記バイパス工具（１４）による短絡状態を解除することを特徴とする。